(57)【要約】【課題】外部管体内で移動可能に設置された伸縮部材の内部管体の後側に長さ調節部を備えており、伸縮部材自体の長さを調節すると共に、外部管体内で伸縮部材の長さを多段階で調節するので、環境に応じて窓の開放量を異ならせ、使用上の便宜性を提供できる長さ調節型ガススプリングを提供する。【解決手段】第１の装着部材に設置される外部管体と、外部管体の内部にスライディング可能に備えられ、第２の装着部材にピストンロッドが固定設置される伸縮部材と、伸縮部材に結合され、外部管体での伸縮部材の前後移動距離を調節する長さ調節部とを含む長さ調節型ガススプリングを構成する。【選択図】図２
2016084938.tif 000002
【特許請求の範囲】
【請求項１】
第１の装着部材に設置される外部管体と、
前記外部管体の内部にスライディング可能に備えられ、第２の装着部材にピストンロッドが固定設置される伸縮部材と、
前記伸縮部材に結合され、前記外部管体での前記伸縮部材の前後移動距離を調節する長さ調節部とを含む
ことを特徴とする長さ調節型ガススプリング。
【請求項２】
前記長さ調節部は、
前記伸縮部材に連結され、前記外部管体で移動する胴体部と、
前記伸縮部材が前記外部管体で長さ方向に移動するように前記胴体部を前記外部管体に拘束したり、その拘束を解除したりする拘束作動部とを含む
ことを特徴とする、請求項１に記載の長さ調節型ガススプリング。
【請求項３】
前記拘束作動部は、
前記外部管体の後側に長さ方向に多数形成された装着孔と、
前記胴体部に備えられ、前記装着孔に選択的に挿入されて前記伸縮部材を移動させたり、前記伸縮部材の移動を制限したりする移動制限部とを含む
ことを特徴とする、請求項２に記載の長さ調節型ガススプリング。
【請求項４】
前記移動制限部は、
前記胴体部に備えられたスロット部と、
前記胴体部に形成され、前記スロット部と装着孔とを連結する連通孔と、
前記スロット部に設置され、前記連通孔を介して前記装着孔に挿入されて係止される係止部材と、
前記係止部材に弾性力を提供する弾性部材とを含む
ことを特徴とする、請求項３に記載の長さ調節型ガススプリング。
【請求項５】
前記係止部材の底面には、前記スロット部に係止され、前記装着孔を介して前記係止部材が外部に離脱することを防止する離脱防止部が備えられる
ことを特徴とする、請求項４に記載の長さ調節型ガススプリング。
【請求項６】
前記弾性部材は、コイルスプリングまたは板スプリングのうちいずれか一つであって、
前記弾性部材は、前記係止部材を前記胴体部の長さ方向に対して直交する方向に移動させるように配置される
ことを特徴とする、請求項４に記載の長さ調節型ガススプリング。
【請求項７】
前記係止部材の反対側には、前記スロット部に設置され、前記弾性部材の他端部を支持する支持プレートが備えられる
ことを特徴とする、請求項４に記載の長さ調節型ガススプリング。
【請求項８】
前記伸縮部材は、結合部によって長さ調節部に備えられた胴体部に結合され、
前記結合部は、前記伸縮部材の後側に備えられるねじ部材と、
前記ねじ部材が結合されるように前記胴体部に前側に備えられるねじ溝部とを含む
ことを特徴とする、請求項１から７のいずれか１項に記載の長さ調節型ガススプリング。
【発明の詳細な説明】
【技術分野】
【０００１】
本発明は、長さ調節型ガススプリングに関し、より詳細には、外部管体内で移動可能に設置された伸縮部材の内部管体の後側に長さ調節部を備えており、伸縮部材自体の長さを調節すると共に、外部管体内で伸縮部材の長さを多段階で調節するので、環境に応じて窓の開放量を異ならせ、使用上の便宜性を提供できる長さ調節型ガススプリングに関する。
【背景技術】
【０００２】
一般に、ガススプリングは、窓の開閉時に窓の開放長さを調節し、衝撃を吸収したり、洗濯機におけるドラムの駆動時にドラムの振動を吸収する場合のように、長さを調節したり、緩衝が必要な多様な機械組立体に使用される。
【０００３】
ガススプリングは、内部に空間部が形成される管体と、管体の空間部内にスライディング可能に設置されるピストンと、ピストンに結合されて移動し、外部の衝撃と振動を伝達するピストンロッドとを含む。
【０００４】
このような組み立て状態で、外部から衝撃と振動がピストンロッドを介してピストンに伝達されると、管体の空間部内に充填されているオイル又はガスなどの作動流体が、ピストンに形成されたオリフィス作用を行う移動ホールを介して移動することで、ピストンがダンピング力を発揮する。
【０００５】
既存の窓と窓枠に設置される窓用ガススプリングは、管体の後端部を窓枠に設置し、ピストンロッドの端部を窓に連結することによって、窓枠に対して窓をヒンジ方式で開閉することができる。
【０００６】
ところが、既存の窓用ガススプリングは、窓の開閉時、管体に対するピストンロッドの伸張長さだけ窓枠に対して窓が開放されるので、窓の開放量を調節できないという問題を有する。また、既存には、ガスの圧力を調節することによって長さを調節するガススプリングが提示されているが、構造が複雑であり、既存のガススプリングをそのまま使用できないので、製造単価が増加するという問題を有する。
【０００７】
したがって、これを改善する必要性が要請される。
【０００８】
本発明に対する背景技術としては、特許文献１（発明の名称「長さ調整ガススプリング」、２００４年０９月１０日公開）が提示されている。
【先行技術文献】
【特許文献】
【０００９】
【特許文献１】韓国公開特許公報第１０−２００４−００７８２９６
【発明の概要】
【発明が解決しようとする課題】
【００１０】
本発明は、前記のような必要性によってなされたものであって、外部管体内で移動可能に設置された伸縮部材の内部管体の後側に長さ調節部を備えることで、伸縮部材自体の長さを調節すると共に、外部管体内で伸縮部材の長さを多段階で調節し、環境に応じて窓の開放量を異ならせ、使用上の便宜性を提供できる長さ調節型ガススプリングを提供することを目的とする。
【課題を解決するための手段】
【００１１】
前記の目的を達成するために、本発明の長さ調節型ガススプリングは、第１の装着部材に設置される外部管体と、外部管体の内部にスライディング可能に備えられ、第２の装着部材にピストンロッドが固定設置される伸縮部材と、伸縮部材の後端部に結合され、外部管体内での伸縮部材の前後移動距離を調節する長さ調節部とを含むことを特徴とする。
【００１２】
また、長さ調節部は、伸縮部材の後側に連結され、外部管体で移動する胴体部と、伸縮部材が外部管体で長さ方向に移動するように胴体部を外部管体に拘束したり、その拘束を解除したりする拘束作動部とを含むことを特徴とする。
【００１３】
また、拘束作動部は、外部管体の長さ方向に多数形成された装着孔と、胴体部に備えられ、装着孔に選択的に挿入され、伸縮部材を移動させたり、前記伸縮部材の移動を制限したりする移動制限部とを含むことを特徴とする。
【００１４】
また、移動制限部は、胴体部に備えられたスロット部と、胴体部に形成され、スロット部と装着孔とを連結する連通孔と、スロット部に設置され、連通孔を介して装着孔に挿入されて係止される係止部材と、係止部材に弾性力を提供する弾性部材とを含むことを特徴とする。
【００１５】
また、係止部材の底面には、スロット部に係止され、装着孔を介して係止部材が外部に離脱することを防止する離脱防止部が備えられることを特徴とする。
【００１６】
また、弾性部材は、コイルスプリング及び板スプリングのうちいずれか一つであって、弾性部材は、係止部材を胴体部の長さ方向に対して直交する方向に移動するように配置されることを特徴とする。
【００１７】
また、前記係止部材の反対側には、前記スロット部に設置され、前記弾性部材の他端部を支持する支持プレートが備えられることを特徴とする。
【００１８】
また、伸縮部材は、結合部によって長さ調節部に備えられた胴体部に結合され、結合部は、伸縮部材の後側に備えられるねじ部材と、及びねじ部材が結合されるように胴体部に備えられるねじ溝部とを含むことを特徴とする。
【発明の効果】
【００１９】
本発明に係る長さ調節型ガススプリングは、外部管体内で移動可能に設置された伸縮部材の内部管体の後側に長さ調節部を備えており、伸縮部材自体の長さを調節すると共に、外部管体内で伸縮部材の長さを多段階で調節できるので、環境に応じて窓の開放量を異ならせ、使用上の便宜性を提供することができる。
【図面の簡単な説明】
【００２０】
【図１】本発明の一実施例に係る長さ調節型ガススプリングが窓と窓枠との間に設置された状態を示す斜視図である。
【図２】本発明の一実施例に係る長さ調節型ガススプリングの分解斜視図である。
【図３】本発明の一実施例に係る長さ調節型ガススプリングの要部分解斜視図である。
【図４】本発明の一実施例に係る長さ調節部の長さ方向断面図である。
【図５】本発明の一実施例に係る長さ調節部の幅方向断面図である。
【図６】本発明の一実施例に係る長さ調節型ガススプリングの収縮状態を示した断面図である。
【図７】本発明の一実施例に係る長さ調節型ガススプリングの１段階伸張状態を示した断面図である。
【図８】本発明の一実施例に係る長さ調節型ガススプリングの２段階伸張状態を示した図である。
【発明を実施するための形態】
【００２１】
以下、添付の各図面を参照して本発明の一実施例に係る長さ調節型ガススプリングを説明する。ここで、本発明に係る長さ調節型ガススプリングの長さ方向における第２の装着部材側を前側、第１の装着部材側を後側として説明する。
【００２２】
この過程で図面に示した各線の太さや構成要素の大きさなどは、説明の明瞭性と便宜上、誇張して図示する場合がある。また、後述する用語は、本発明での機能を考慮して定義された用語であって、これは、使用者及び運用者の意図又は慣例によって変わり得る。そのため、これらの用語は、本明細書全般にわたった内容に基づいて定義すべきであろう。
【００２３】
図１は、本発明の一実施例に係る長さ調節型ガススプリングが窓と窓枠との間に設置された状態を示す斜視図である。
【００２４】
図２は、本発明の一実施例に係る長さ調節型ガススプリングの分解斜視図で、図３は、本発明の一実施例に係る長さ調節型ガススプリングの要部分解斜視図で、図４は、本発明の一実施例に係る長さ調節部の長さ方向断面図で、図５は、本発明の一実施例に係る長さ調節部の幅方向断面図で、図６は、本発明の一実施例に係る長さ調節型ガススプリングの収縮状態を示した断面図で、図７は、本発明の一実施例に係る長さ調節型ガススプリングの１段階伸張状態を示した断面図で、図８は、本発明の一実施例に係る長さ調節型ガススプリングの２段階伸張状態を示した図である。
【００２５】
図１〜図８を参照すると、本発明の一実施例に係る長さ調節型ガススプリング１００は、外部管体１０、伸縮部材２０及び長さ調節部３０を含んで構成される。
【００２６】
外部管体１０は、第１の装着部材２に設置される構成であって、内部の長さ方向に貫通穴が形成される。この貫通穴には、後述する伸縮部材２０が挿入され、長さ調節部３０の作動によって伸縮部材２０が長さ方向に移動し得る。
【００２７】
伸縮部材２０は、外部管体１０の内部にスライディング可能に備えられ、第２の装着部材４にピストンロッド１２が固定設置される構成である。
【００２８】
伸縮部材２０は、ピストンロッド１２が連結されて移動するピストン１４と、ピストン１４が内側で移動可能に備えられ、長さ調節部３０の操作によって外部管体１０で前後移動する内部管体１６とを含む。
【００２９】
内部管体１６は、外部管体１０の内部に挿入され、後述する長さ調節部３０の操作を通じて長さ方向に前後にスライディング移動することができる。
【００３０】
伸縮部材２０としては、外部管体１０の内部に設置された内部ガススプリングを適用する。
【００３１】
伸縮部材２０においてピストンロッド１２の伸張長さは、内部管体１６の長さを考慮して適宜適用することができる。
【００３２】
一方、外部管体１０の後端部に固定される第１の装着部材２は、窓枠、ドア枠、窓、及びドアのうちいずれか一つであってもよく、ピストンロッド１２の端部に固定される第２の装着部材４は、窓枠、ドア枠、窓、及びドアのうち他の一つであってもよい。
【００３３】
図１に示したように、本発明の一実施例では、第１の装着部材２が窓枠に該当し、第２の装着部材４が窓に該当する場合を図示して説明する。
【００３４】
既存のガススプリングは、第１の装着部材（窓）２と第２の装着部材（窓枠）４に適用するとき、内部管体１６に対して１段階でのみピストンロッド１２が伸張されるので、掃除時に窓枠に対して窓を最大限開放することが難しい。
【００３５】
本発明の一実施例に係る長さ調節型ガススプリング１００は、第１の装着部材２と第２の装着部材４との間に連結され、第１の装着部材２に対して第２の装着部材４が開放される角度を段階別に制御することになる。
【００３６】
すなわち、本発明に係る長さ調節型ガススプリング１００は、外部管体１０の内部に設置された伸縮部材２０を通じた第１の段階の長さ調節と、伸縮部材２０の後側に連結された長さ調節部３０を通じた第２の段階以上の長さ調節により、第１の装着部材２に対する第２の装着部材４の開放角度を多様に調節することができる。
【００３７】
例えば、平常時の換気のためには、窓枠に対して窓の１段階調節を通じて窓を少しだけ開放することによって空気循環が適宜なされるようにし、掃除のためには、窓枠に対して窓の２段階調節を通じて窓を多く開放することによって外部空気の循環が円滑になされるようにする。
【００３８】
そのため、窓の開放量を調節するために長さ調節部３０が必要である。
【００３９】
長さ調節部３０は、伸縮部材２０の後端部に結合され、外部管体１０での伸縮部材２０の前後移動距離を調節する構成である。
【００４０】
長さ調節部３０は、伸縮部材２０の後側に連結され、外部管体１０で移動する胴体部４０と、伸縮部材２０が外部管体１０で長さ方向に移動するように胴体部４０を外部管体１０に拘束したり、その拘束を解除したりする拘束作動部５０とを含む。
【００４１】
胴体部４０の外周面は、外部管体１０の内径に対応するような形状からなる。
【００４２】
胴体部４０の前側部位又は後側部位は、外部管体１０内での前後移動時に係止されることを防止するために、円錐（楔）状に形成されてもよい。図２及び図４では、胴体部４０の前側部位のみが円錐状に形成される場合を示した。
【００４３】
胴体部４０と外部管体１０との間には、胴体部４０の移動時、外部管体１０の内周面との摩擦を防止するために潤滑油などが塗布されてもよい。
【００４４】
胴体部４０は、後述するスロット部６２に係止部材６６、弾性部材６７及び支持プレート６９を組み立てられるように２個の部分に分離されるように構成されてもよい。
【００４５】
拘束作動部５０は、外部管体１０の長さ方向に多数形成された装着孔５２と、胴体部４０に備えられ、装着孔５２に選択的に挿入されて伸縮部材２０を移動させたり、伸縮部材２０の移動を制限したりする移動制限部６０とを含む。
【００４６】
装着孔５２は、外部管体１０の後端部に長さ方向に２つ以上形成され、胴体部４０が拘束作動部５０に選択的に挿入されるようにする。
【００４７】
装着孔５２は、多様な形状に形成できるが、本図面では、四角形又は長方形の場合を図示する。
【００４８】
移動制限部６０は、胴体部４０に備えられたスロット部６２と、胴体部４０に形成され、スロット部６２と装着孔５２とを連結する連通孔６４と、スロット部６２に設置され、連通孔６４を介して装着孔５２に挿入されて係止される係止部材６６と、係止部材６６に弾性力を提供する弾性部材６７とを有する。
【００４９】
スロット部６２は、係止部材６６が弾性部材６７の弾性力によって昇降するとき、ガイドの役割をするように構成することができる。すなわち、図５に示したように、スロット部６２は、縦方向断面の上下側左右幅を同一に構成し、装着孔５２から係止部材６６を離脱するために下側に押すとき、係止部材６６が左右流動なくスロット部６２に沿って安定的に上下移動できるようにする。
【００５０】
勿論、スロット部６２は、係止部材６６の安定的な移動のために多様に変更することができる。
【００５１】
連通孔６４は、装着孔５２の形状に対応するように形成されることが好ましい。
【００５２】
連通孔６４は、場合に応じてスロット部６２のサイズと同一に形成されてもよい。本実施例において、連通孔６４は、装着孔５２に対応するように四角形又は長方形の場合を図示する。
【００５３】
係止部材６６は、装着孔５２と連通孔６４に対応するように四角形又は長方形に形成してもよい。
【００５４】
係止部材６６には、スロット部６２に係止され、装着孔５２を介して係止部材６６が外部に離脱することを防止する離脱防止部６８が備えられてもよい。
【００５５】
離脱防止部６８は、係止部材６６の底面に所定の長さだけ突出して設けられ、スロット部６２の上面で係止されるので、係止部材６６が連通孔６４を介して装着孔５２から離脱することを防止する。
【００５６】
弾性部材６７は、コイルスプリング及び板スプリングのうち少なくともいずれか一つであってもよいが、本発明の一実施例では、コイルスプリングを採用する場合を図示する。
【００５７】
弾性部材６７は、係止部材６６を胴体部４０の長さ方向に対して直交する方向に移動するように配置する。
【００５８】
弾性部材６７は、係止部材６６の底面と支持プレート６９の上面に陥没形成された収容溝部に挿入され、左右流動が防止される。
【００５９】
係止部材６６の反対側には、スロット部６２に設置され、弾性部材６７の他端部（図面において下端部）を支持する支持プレート６９が備えられてもよい。支持プレート６９は、係止部材６６のプレス作動によって下側に移動する弾性部材６７が、胴体部４０内のスロット部６２の底に加圧力を直接加えないように支える役割をする。
【００６０】
伸縮部材２０は、結合部７０によって長さ調節部３０に備えられた胴体部４０に結合されてもよく、伸縮部材２０の内部管体１６の後側と胴体部４０の前側とを互いに結合する。
【００６１】
結合部７０は、ねじ結合、フック結合、リンク結合、ボールジョイント結合などのように多様に構成されてもよいが、本発明の一実施例では、ねじ結合を採用する場合を図示する。
【００６２】
結合部７０は、伸縮部材２０の後側に備えられるねじ部材７２と、ねじ部材７２が結合されるように胴体部４０の前側に備えられるねじ溝部７４とを含む。
【００６３】
ねじ部材７２は、伸縮部材２０の内部管体１６の後側中心部から突出する。ねじ溝部７４は、胴体部４０の前面中心部に陥没形成される。
【００６４】
ねじ部材７２は、胴体部４０の前側に形成され、ねじ溝部７４は、伸縮部材２０の内部管体１６に形成されてもよい。
【００６５】
以下、添付の図面を参照して本発明の一実施例に係る長さ調節型ガススプリングの作用及び効果を説明する。
【００６６】
図４上段及び図６では、本発明に係る長さ調節型ガススプリング１００は、第１の装着部材（窓枠）２に対して第２の装着部材（窓）４を閉鎖した状態を示しており、伸縮部材２０のピストンロッド１２は内部管体１６で収縮しており、内部管体１６に連結された胴体部４０は後方に移動した状態である。
【００６７】
一方、図４上段及び図７に示したように、本発明に係る長さ調節型ガススプリング１００は、第１の装着部材２に対して第２の装着部材４を開放し、ピストンロッド１２の引っ張りによってピストン１４が内部管体１６で前方に移動し、伸縮部材２０のピストンロッド１２が伸張され、窓が１段階で開放された状態である。
【００６８】
この場合、窓は、換気と換風のために平常時に開放される状態である。
【００６９】
続いて、図４中段、下段及び図８に示したように、図７の状態で第２の装着部材４を掃除するために第１の装着部材２に対してさらに開放しようとする場合、伸縮部材２０が伸張された状態で長さ調節部３０を調節する。
【００７０】
すなわち、使用者が係止部材６６を押すと、係止部材６６は、弾性部材６７を圧縮して下側に移動し、外部管体１０の装着孔５２から離脱する。
【００７１】
その次に、第２の装着部材４を第１の装着部材２に対してさらに開放すると、ピストンロッド１２、ピストン１４、内部管体１６、結合部７０、胴体部４０が前方に移動しながら、弾性的に圧縮された係止部材６６が前方に移動し、他の装着孔５２に弾性的に復帰して係止されることによって、窓がさらに開放される。
【００７２】
このとき、係止部材６６は、装着孔５２に弾性的に挿入されて係止されているので、使用者が任意に押さない以上、窓は開放状態を維持することになる。
【００７３】
このように、窓を最大限開放し、換気が円滑になされる状態で掃除を行えばよい。
【００７４】
したがって、本発明の一実施例に係る長さ調節型ガススプリングは、外部管体内で移動可能に設置された伸縮部材の内部管体の後側に長さ調節部を備えており、伸縮部材自体の長さを調節すると共に、外部管体内で伸縮部材の長さを多段階で調節するので、環境に応じて窓の開放量を異ならせ、使用上の便宜性を提供することができる。
【００７５】
本発明は、図面に示した実施例を参考にして説明したが、これは例示的なものに過ぎなく、当該技術分野で通常の知識を有する者であれば、これから多様な変形及び均等な他の実施例が可能であることを理解するだろう。
【００７６】
したがって、本発明の真の技術的保護範囲は、下記の特許請求の範囲によって定めなければならない。
【符号の説明】
【００７７】
２・・・第１の装着部材、４・・・第２の装着部材、１０・・・外部管体、２０・・・伸縮部材、１２・・・ピストンロッド、１４・・・ピストン、１６・・・内部管体、３０・・・長さ調節部、４０・・・胴体部、５０・・・拘束作動部、５２・・・装着孔、６０・・・移動制限部、６２・・・スロット部、６４・・・連通孔、６６・・・係止部材、６７・・・弾性部材、６８・・・離脱防止部、６９・・・支持プレート、７０・・・結合部、７２・・・ねじ部材、７４・・・ねじ溝部、１００・・・長さ調節型ガススプリング。
【図１】
2016084938.tif 000003
【図２】
2016084938.tif 000004
【図３】
2016084938.tif 000005
【図４】
2016084938.tif 000006
【図５】
2016084938.tif 000007
【図６】
2016084938.tif 000008
【図７】
2016084938.tif 000009
【図８】
2016084938.tif 000010